(57)【要約】【課題】かさばらないように折り畳んでおくことができ、かつ、外枠を容易に組み立てることのできる家具等の屋内設置物を提供する。【解決手段】テーブル１のそれぞれの脚部９と取り付け突部３との間にヒンジ１９、２１を設ける。ヒンジ１９を、一方の脚部９の脚部本体１１に取り付け、折り畳み用ヒンジとして用いる。ヒンジ２１を、他方の脚部９の脚部本体１１に取り付け、隙間形成用ヒンジとして用いる。一方の脚部９をヒンジ１９で折り畳み、他方の脚部９をヒンジ２１で折り畳む。他方の脚部２１は、一方の脚部１９を取り付け突部３との間に収めて、取り付け突部３と平行又はほぼ平行となるように折り畳むことができる構成を有している。【選択図】図３
2013138748.tif 000002
【特許請求の範囲】
【請求項１】
ベース部材と、前記ベース部材に取り付けられた、このベース部材と垂直な複数の垂直部材と、を備えた家具等の屋内設置物であって、
前記ベース部材とそれぞれの前記垂直部材との間にはヒンジが取り付けられ、それぞれの前記垂直部材は、前記ヒンジを中心として、前記ベース部材に対して回転でき、
前記垂直部材のうちの少なくとも一つは、取り付けられた前記ヒンジが隙間形成用ヒンジであり、前記ベース部材と所定の間隔を有して平行な又はほぼ平行な折り畳み状態となるまで回転できるように構成され、または、取り付けられた前記ヒンジが展開用ヒンジであり、前記ベース部材に対して展開状態となるまで回転できるように構成されている、ことを特徴とする家具等の屋内設置物。
【請求項２】
前記垂直部材のうちの前記少なくとも一つは、取り付けられた前記ヒンジが隙間形成用ヒンジであり、前記ベース部材と所定の間隔を有して平行な又はほぼ平行な折り畳み状態となるまで回転できるように構成され、かつ、別の前記垂直部材は、取り付けられた前記ヒンジが折り畳み用ヒンジであり、前記ベース部材と隙間なく又はほとんど隙間なく折り畳まれた折り畳み状態となるまで回転できるように構成されている、ことを特徴とする請求項１記載の家具等の屋内設置物。
【請求項３】
前記隙間形成用ヒンジは、ベース固定部と、このベース固定部の端部に一端部が回転可能に接続された厚み形成部と、この厚み形成部の他端部に端部が回転可能に接続された垂直固定部と、を有し、前記ベース固定部が前記ベース部材に固定され、前記垂直固定部が前記垂直部材に固定されている、ことを特徴とする請求項１又は２記載の家具等の屋内設置物。
【請求項４】
前記垂直部材のうちの前記少なくとも一つは、取り付けられた前記ヒンジが展開用ヒンジであり、前記ベース部材に対して展開状態となるまで回転できるように構成され、かつ、別の前記垂直部材は、取り付けられた前記ヒンジが折り畳み用ヒンジであり、前記ベース部材と隙間なく又はほとんど隙間なく折り畳まれた折り畳み状態となるまで回転できるように構成されている、ことを特徴とする請求項１記載の家具等の屋内設置物。
【請求項５】
前記垂直部材はすべて、取り付けられた前記ヒンジが展開用ヒンジであり、前記ベース部材に対して展開状態となるまで回転できるように構成されている、ことを特徴とする請求項１記載の家具等の屋内設置物。
【請求項６】
前記展開用ヒンジは、引っ張りスプリングと、前記引っ張りスプリングの先端部に取り付けられた回転中心部材と、前記回転中心部材に取り付けられてこの回転中心部材を中心として回転できる回転垂直固定部と、を有し、前記引っ張りスプリングの後端部は前記ベース部材に取り付けられ、前記回転垂直固定部は前記垂直部材に固定されている、ことを特徴とする請求項１、４又は５記載の家具等の屋内設置物。
【請求項７】
前記垂直部材は、垂直状態でも展開状態でも前記引っ張りスプリングによって引っ張られている、ことを特徴とする請求項６記載の家具等の屋内設置物。
【請求項８】
前記垂直部材は、展開状態で、側端面が前記ベース部材の側端面に当接している、ことを特徴とする請求項６又は７記載の家具等の屋内設置物。
【請求項９】
前記ベース部材はプレート体又はパネル体である、ことを特徴とする請求項１、２、３、４、５、６、７又は８記載の家具等の屋内設置物。
【請求項１０】
前記垂直部材はプレート体又はパネル体である、ことを特徴とする請求項１、２、３、４、５、６、７，８又は９記載の家具等の屋内設置物。
【請求項１１】
前記ベース部材は底板であり、前記家具等の屋内設置物は引き出しである、ことを特徴とする請求項１、２、３、４、５、６、７、８、９又は１０記載の家具等の屋内設置物。
【請求項１２】
前記ベース部材は底板であり、前記家具等の屋内設置物は引き出し家具の外箱である、ことを特徴とする請求項１、２、３、４、５、６、７、８、９又は１０記載の家具等の屋内設置物。
【請求項１３】
前記ベース部材はテーブルプレートであり、前記垂直部材は脚部であって、前記家具等の屋内設置物はテーブルである、ことを特徴とする請求項１、２、３、４、５、６、７、８、９又は１０記載の家具等の屋内設置物。
【発明の詳細な説明】
【技術分野】
【０００１】
本発明は、家具やシステムキッチンあるいは家具やシステムキッチンの構成部分といった屋内設置物の構造に関する。
【背景技術】
【０００２】
例えば一般家庭に設置される引き出し家具は、外箱と、この外箱内に設けられた複数段の案内支持部と、それぞれの案内支持部上にスライド可能に載せられて外箱内に出入り可能に配置された引き出しと、を備えていて、製造過程で組み立てられて出荷されるのが通常である。しかしながら、組み立てられた引き出し家具は、外箱が直方体状の外形を有しているので、かさばり、運搬作業が煩雑でその負担が大きい。そこで、こういった家具などを組み立て可能に構成しておき、分解してコンパクトにした状態で各家庭などに家具等を搬送し、各家庭などで搬送された家具などを組み立てるといった出荷方法も採用されていて、ここでは、例えば、ユーザが分解された家具などを自宅に持ち帰り、自分で組み立てて自宅内に設置するといったことが可能となる。
【０００３】
ところで、こういった分解組み立て式の家具などは、ユーザが自分で組み立てることができるように、簡単かつ迅速な組み立てが可能な構成を有する必要がある。したがって、例えば特許文献１に記載されているように、組み立てたときに直方体状の外形又は箱体を形成する部材同士、より具体的にはパネル同士をヒンジで連結しておき、出荷時にはこのパネル同士を折り畳み、組み立て時には、どのパネル同士をどのように連結するかを迷うことなく箱体などの外枠を簡単かつ迅速に形成できるように構成している。
【先行技術文献】
【特許文献】
【０００４】
【特許文献１】特開平９−１９１９５５号公報
【発明の概要】
【発明が解決しようとする課題】
【０００５】
しかしながら、特許文献１記載の折り畳み式家具では、後枠（ベース部材）１１と側枠（垂直部材）１２との間に設けられたヒンジ７は、側枠１２を後枠１１上に載せて折り畳むためのものであり、側枠１２同士が折り畳んだときに重なる場合には、側枠１２が斜めに傾斜して持ち上がってしまうので、平らな（段差が形成される場合もある）折り畳み形状を形成できない。また、天枠１３や底枠２を後枠１１に折り畳むように構成し、後枠１１に連結される垂直部材の数を増やすと、やはり平らな折り畳み形状を形成できなくなる。すなわち、特許文献１記載の折り畳み式家具は、平らな分解形状を形成できるようにするために、後枠１１にヒンジで連結できる側枠１２等の枠が限定されてしまい、組み立て時にユーザが簡単に箱体などを形成できない可能性があるものである。
【０００６】
そこで本発明は、かさばらないように分解し又は折り畳んでおくことができ、かつ、組み立て時に、外枠を容易に組み立てることのできる家具等の屋内設置物の提供を目的とする。
【課題を解決するための手段】
【０００７】
この目的を達成するための本発明の家具等の屋内設置物は、ベース部材と、前記ベース部材に取り付けられた、このベース部材と垂直な複数の垂直部材と、を備えた家具等の屋内設置物であって、前記ベース部材とそれぞれの前記垂直部材との間にはヒンジが取り付けられ、それぞれの前記垂直部材は、前記ヒンジを中心として、前記ベース部材に対して回転でき、前記垂直部材のうちの少なくとも一つは、取り付けられた前記ヒンジが隙間形成用ヒンジであり、前記ベース部材と所定の間隔を有して平行な又はほぼ平行な折り畳み状態となるまで回転できるように構成され、または、取り付けられた前記ヒンジが展開用ヒンジであり、前記ベース部材に対して展開状態となるまで回転できるように構成されているものである。垂直部材は、例えば固定手段によってベース部材に取り付けられる。この場合には、垂直部材は、固定手段を解除することにより（例えば、引越しや配置替えの場合）、又は固定手段によりベース部材に固定される前の状態で（例えば、屋内設置物を出荷する場合）回転できることとなる。ベース部材は、複数の垂直部材がヒンジ連結されたものである。垂直部材のうちの少なくとも一つ（隙間形成垂直部材）は、ベース部材と所定の間隔を有して平行な又はほぼ平行な折り畳み状態となるまで回転できるように構成される場合がある。この場合には、隙間形成垂直部材は、ベース部材と平行な又はほぼ平行な折り畳み状態で、別の垂直部材をベース部材との間で挟むことができる。所定の間隔を別の一つの垂直部材の厚さに対応させれば、隙間形成垂直部材は、ベース部材と平行な又はほぼ平行な折り畳み状態で、別の一つの垂直部材をベース部材との間で挟むことができ、所定の間隔を別の複数（例えば２つ）の垂直部材の厚さに対応させれば、隙間形成垂直部材は、ベース部材と平行な又はほぼ平行な折り畳み状態で、別の複数（例えば２つ）の垂直部材をベース部材との間で挟むことができる。したがって、例えば、垂直部材のうちの少なくとも一つは、取り付けられたヒンジが隙間形成用ヒンジであり、ベース部材と所定の間隔を有して平行な又はほぼ平行な折り畳み状態となるまで回転でき、かつ、別の垂直部材（より詳しくは別の垂直部材のうちの少なくとも一つ）は、取り付けられたヒンジが折り畳み用ヒンジであり、ベース部材と隙間なく又はほとんど隙間なく折り畳まれた折り畳み状態となるまで回転できるといったように構成される。また、垂直部材のうちの少なくとも一つ（展開垂直部材）は、ベース部材に対して展開状態となるまで回転できるように構成される場合がある。これにより薄くフラットな折り畳み状態を確保しやすくなる。ここでは、例えば、垂直部材のうちの少なくとも一つは、取り付けられたヒンジが展開用ヒンジであり、ベース部材に対して展開状態となるまで回転でき、別の垂直部材（より詳しくは別の垂直部材のうちの少なくとも一つ）は、取り付けられたヒンジが折り畳み用ヒンジであり、ベース部材と隙間なく又はほとんど隙間なく折り畳まれた折り畳み状態となるまで回転できるといったように構成される。あるいは、垂直部材はすべて、取り付けられたヒンジが展開用ヒンジであり、ベース部材に対して展開状態となるまで回転できるように構成することができる。
【０００８】
隙間形成用ヒンジは、ベース固定部と、このベース固定部の端部に一端部が回転可能に接続された厚み形成部と、この厚み形成部の他端部に端部が回転可能に接続された垂直固定部と、を有し、ベース固定部がベース部材に固定され、垂直固定部が垂直部材に固定されているといったように構成できる。
【０００９】
展開用ヒンジは、引っ張りスプリングと、引っ張りスプリングの先端部に取り付けられた回転中心部材と、回転中心部材に取り付けられてこの回転中心部材を中心として回転できる回転垂直固定部と、を有し、引っ張りスプリングの後端部はベース部材に取り付けられ、回転垂直固定部は垂直部材に固定されているといったように構成できる。垂直部材は、垂直状態でも展開状態でも引っ張りスプリングによって引っ張られていることが好ましい。また、垂直部材は、展開状態で、側端面がベース部材の側端面に当接しているといったように構成できる。
【００１０】
ベース部材や垂直部材はプレート体又はパネル体である場合がある。
【００１１】
本発明は、ベース部材を底板とする引き出し又はベース部材を底板とする引き出し家具の外箱に適用することができ、さらに、ベース部材をテーブルプレートとし、垂直部材を脚部とするテーブルに適用できる。
【発明の効果】
【００１２】
本発明の家具等の屋内設置物は、取り扱いやすい形状に折り畳むことができ、設置時には簡単かつ迅速に組み立てることができるものである。
【図面の簡単な説明】
【００１３】
【図１】本発明に係るテーブルの斜視図である。
【図２】テーブルを折り畳んだ状態を示す図である。
【図３】折り畳み用ヒンジの斜視図である。
【図４】組み立て時の折り畳み用ヒンジ個所を示す図である。
【図５】折り畳み時の折り畳み用ヒンジ個所を示す図である。
【図６】隙間形成用ヒンジの斜視図である。
【図７】組み立て時の隙間形成用ヒンジ個所を示す図である。
【図８】折り畳み時の隙間形成用ヒンジ個所を示す図である。
【図９】脚部の固定構造を説明する図である。
【図１０】本発明に係る外箱及び引き出しを備えた引き出し家具の斜視図である。
【図１１】引き出し家具の分解斜視図である。
【図１２】外箱の斜視図である。
【図１３】別の隙間形成用ヒンジの斜視図である。
【図１４】外箱を折り畳んだ状態を示す図である。
【図１５】引き出しの分解斜視図である。
【図１６】展開用ヒンジの分解斜視図である。
【図１７】組み立て時の展開用ヒンジ個所を示す図である。
【図１８】組み立て時の展開用ヒンジ個所を示す別の図である。
【図１９】折り畳み時（展開時）の展開用ヒンジ個所を示す図である。
【図２０】外箱を折り畳んだ状態（展開した状態）を示す図である。
【図２１】外箱の変更例を示す斜視図である。
【図２２】外箱の変更例を折り畳んだ状態を示す図である。
【図２３】外箱の変更例をさらに変更した場合を示す斜視図である。
【図２４】外箱の変更例をさらに変更した場合の折り畳み状態を示す図である。
【発明を実施するための形態】
【００１４】
以下、図面を参照して本発明の実施の形態を説明する。
【００１５】
図１乃至図９は本発明に係る第１の実施の形態としてのテーブルを説明する図である。
【００１６】
テーブル１は、裏面に長方形状の支持突部３が形成された長方形状のテーブルプレート（ベース部材）５と、テーブルプレート５のそれぞれの短辺部７に上端部が固定された脚部（垂直部材）９と、を備え、脚部９はテーブルプレート５又は支持突部３に対して垂直に設けられ、テーブルプレート５から垂直下方に延びてテーブルプレート５を支えている。脚部９はそれぞれ、テーブルプレート５の短辺部７の長さ方向両側に間隔を有して配置された、細長く下方に延びる一対の脚部本体１１と、間隔を有して配置されているこの一対の脚部本体１１の上端部同士及び下端部同士を連結する上下一対の連結部１３と、を有していて、一対の脚部本体１１の上端部がそれぞれ、固定手段１５によりテーブルプレート５の短辺部７の裏面１７に固定されている。
【００１７】
それぞれの脚部９と支持突部３との間にはヒンジ１９、２１が設けられていて、テーブルプレート５の短辺部７及び脚部本体１１の間から固定手段１５を解除することにより、図２に示すように、両側の脚部９をテーブルプレート５又は支持突部３に対して折り畳むことができるように構成されている。
【００１８】
ヒンジ１９は、一方の脚部９のそれぞれの脚部本体１１に取り付けられていて、図３に示すように、連続するプラスチック製の一対の連結固定片２３の間に線状の薄肉部２５を形成し、この薄肉部２５で連結固定片２３同士が互いに回転（折れ曲り）できるように構成した折り畳み用ヒンジであり、一方の連結固定片２３が一方の脚部９の脚部本体１１上端部に固定され、他方の連結固定片２３が支持突部３の短辺部２４の裏面に固定されている。連結固定片２３の固定は、連結固定片２３に形成したビス孔２７に固定ビス２９を通し、脚部本体１１及び支持突部３にねじ込むことにより行われる。したがって、一方の脚部９は、支持突部３の裏面に接触又は接近して沿うように折り畳むことができる（図５参照）。なお、ビス孔２７はヒンジ１９の長さ方向に長い長円状に形成されていて、固定ビス２９のビス孔２７内の位置が変化するように一方の脚部９又は脚部本体１１をずらすことにより、折り畳んだときの脚部本体１１の先端部（下端部）及び後端部（上端部））の位置を微調整できるなど、組み立て時や折り畳み時の脚部本体１１の位置の微調整が可能となる。
【００１９】
ヒンジ２１は、他方の脚部９のそれぞれの脚部本体１１に取り付けられていて、図６に示すように、一対の連結固定片３１の間に厚み形成片３３を連続して連結することにより形成したプラスチック製の隙間形成用ヒンジであり、一方の連結固定片３１と厚み形成片３３の間及び他方の連結固定片３１と厚み形成片３３の間にそれぞれ、線状の薄肉部３５が形成され、この薄肉部３５で一方の連結固定片３１と厚み形成片３３及び他方の連結固定片３１と厚み形成片３３が互いに回転（折れ曲り）できるように構成されていて、一方の連結固定片３１が他方の脚部９の脚部本体１１上端部に固定され、他方の連結固定片３１が支持突部３の短辺部２４の裏面に固定されている。厚み形成片３３は、組み立て時には、支持突部３の短辺部２４の裏面に沿うように位置しているが（図７参照）、分解時（折り畳み時、組み立て前）には、支持突部３及び脚部本体１１に垂直となるように位置し、他方の脚部９が、支持突部３の裏面と、厚み形成片３３の高さに対応する隙間（一方の脚部９又は一方の脚部９の脚部本体１１の厚さと等しい又はほぼ等しい）を有して平行又はほぼ平行となるように構成されている（図８参照）。なお、連結固定片３１の固定も、ビス孔２７に固定ビス２９を通し、脚部本体１１及び支持突部３にねじ込むことにより行われる。ここで、厚み形成片３３にもビス孔２７が設けられているのは、例えば、一方の連結固定片３１を一方の脚部９の脚部本体１１に固定し、他方の連結固定片３１及び厚み形成片３３を支持突部３に固定し、このヒンジ２１を折り畳み用ヒンジとして使用することができるようにするためである。
【００２０】
ここでは、固定手段１５を解除して、あるいは固定手段１５による固定を行なう前に、一方の脚部９を折り畳み、折り畳んだ一方の脚部９にかぶせるように他方の脚部９を折り畳んでも、他方の脚部９はテーブルプレート５又は支持突部３の裏面と平行又はほぼ平行な状態に折り畳まれることとなる。
【００２１】
脚部本体１１の上端部とテーブルプレート５の短辺部７の裏面１７との間に設けられた固定手段１５は、テーブルプレート５の短辺部７の裏面１７に固定された支持ピン３７と、脚部本体１１の上端部に埋め込まれた支持ピン受け３９と、を備え、支持ピン３７を支持ピン受け３９内に収容することにより、脚部９はテーブルプレート５に垂直に固定されることとなる（図４及び図７参照）。支持ピン受け３９としては、ピン受けケース４１内に係合部材４３が回転可能に配置された構成を有し、脚部９を垂直方向に回転させ（図９ａ）、支持ピン３７の頭部個所を受け溝４５内に嵌め込んでから（図９ｂ）、操作部４７（係合部材４３の両側（表側及び裏側）に一個所ずつ設けられている）をドライバで回転操作すると、係合部材４３が回転して、支持ピン３７の頭部４９の裏側に回り込み（係合部材４３には係合スリット５１が形成されていて、この係合スリット５１が頭部４９の後側の細い又は小さな径の部分を収めるようにして頭部４９の裏側に回り込む）、支持ピン３７を抜け止めするもの（図９ｃ）を用いることができる。このような抜け止め支持ピン受け３９では、係合部材４３が支持ピン３７の頭部４９の裏側に回り込んだときに、係合部材４３の内面が頭部４９の裏側を押圧して、支持ピン３７を受け溝４５内深くにずれ動かす締め付け型のものを使用することができる（図示したものは締め付け型のものである）。締め付け型の採用により、例えば、組み付けたときの脚部９のがたつきを防止できる。ここでは、脚部本体１１の外面に操作孔５３を形成し、この操作孔５３から、対応するの操作部４７を操作できるようにしておくのが好ましい（図９ａ参照）。なお、固定手段１５に代えて、脚部本体１１の外面側から固定ネジ（固定手段）を支持突部３の短辺部の端面にねじ込む固定構造を用いてもよい。
【００２２】
図１０乃至図１９は本発明に係る第２の実施の形態としての外箱及び第３の実施の形態としての引き出しを備えた引き出し家具を説明する図である。
【００２３】
引き出し家具５５は、前面開口の外箱又はボックス体５７と、このボックス体５７内に前面開口から差し込まれた３段の引き出し５８（３段の引き出し５８はすべて同じ高さであるとは限らない）と、を備えている。
【００２４】
ボックス体５７は、上面及び前面開口の外箱又はボックス本体５９と、このボックス本体５９の上面開口を塞ぐようにボックス本体５９の上端部に配置されて固定された長方形状の天板６１と、ボックス本体５９内に差し込まれた３段の案内支持プレート６３と、ボックス本体５９の前面の下端部に固定された下端プレート６５と、を備えている。
【００２５】
ボックス本体５９は、底面プレート（ベース部材、底板）６７と、この底面プレート６７の両側縁部の端面に固定ネジ（固定手段）６９により固定され、底面プレート６７と垂直に上方に延びる一対の側面プレート（垂直部材）７１と、底面プレート６７の後側縁部の端面及び一対の側面プレート７１の後側縁部（又は後側縁部の内面）に固定ネジ６９により固定され、底面プレート６７と垂直に上方に延びる背面プレート７３（垂直部材）と、を有していて、一対の側面プレート７１の内面にはそれぞれ、案内支持プレート６３を差し込むための３段の差し込み溝７５が形成されている。天板６１には、両側縁部の端面及び後側縁部の端面に支持ピン３７が設けられていて、一対の側面プレート７１及び背面プレート７３の上端部内面に埋め込まれた支持ピン受け３９にこの支持ピン３７を収容することにより、天板６１は一対の側面プレート７１及び背面プレート７３に固定されている。
【００２６】
ボックス本体５９では、底面プレート６７の一方の側縁部と一方の側面プレート７１の下端部の間の長さ方向両側に折り畳み用ヒンジ１９（図３参照）が取り付けられ、底面プレート６７の他方の側縁部と他方の側面プレート７１の下端部の間の長さ方向両側に隙間形成用ヒンジ２１（図６参照）が取り付けられている。折り畳み用ヒンジ１９は、一方の連結固定片２３が底面プレート６７の一方の側縁部（一方の側縁部の表面）に固定され、他方の連結固定片２３が一方の側面プレート７１の下端部（下端部の内面）に固定されることにより、底面プレート６７と一方の側面プレート７１とを連結している。隙間形成用ヒンジ２１は、一方の連結固定片３１が底面プレート６７の他方の側縁部（他方の側縁部の表面）に固定され、他方の連結固定片３１が他方の側面プレート７１の下端部（下端部の内面）に固定されることにより、底面プレート６７と他方の側面プレート７１とを連結している。また、底面プレート６７の後側縁部と背面プレート７３の下端部の間の長さ方向両側には、別の隙間形成用ヒンジ７７が取り付けられている。隙間形成用ヒンジ７７は、図１３に示すように、一対の連結固定片７９の間に厚み形成部８１を連続して連結することにより形成したプラスチック製のプレート状ヒンジであり、一方の連結固定片７９と厚み形成部８１の間及び他方の連結固定片７９と厚み形成部８１の間にそれぞれ、線状の薄肉部８３が形成され、この薄肉部８３で一方の連結固定片７９と厚み形成部８１が及び他方の連結固定片７９と厚み形成部８１が相互に回転（折れ曲り）できるように構成されているが、さらに、厚み形成部８１を２つの厚み形成片８５から構成し、この２つの厚み形成片８５の間に線状の薄肉部８３を形成し、この薄肉部８３で２つの厚み形成片８５同士が相互に回転（折れ曲り）できるように構成されている。隙間形成用ヒンジ７７は、一方の連結固定片７９が底面プレート６７の後側縁部（後側縁部の表面）に固定され、他方の連結固定片７９が背面プレート７３の下端部（下端部の内面）に固定されることにより、底面プレート６７と背面プレート７３とを連結している。なお、隙間形成用ヒンジ７７の厚み形成部８１を単一の（薄肉部８３が形成されていない）プレート片で構成することもできる。
【００２７】
隙間形成用ヒンジ２１の厚み形成片３３は、組み立て時には、他方の側面プレート７１の下端部内面に沿うように位置しているが、分解時（折り畳み時）には、底面プレート６７及び他方の側面プレート７１に垂直となるように位置し、他方の側面プレート７１が、底面プレート６７の内面と、厚み形成片３３の高さに対応する隙間（一方の側面プレート７１の厚さと等しい又はほぼ等しい）を有して平行又はほぼ平行となるように構成されている（図１４参照）。また、隙間形成用ヒンジ７７の厚み形成部８１は、組み立て時には、背面プレート７３の下端部内面に沿うように位置しているが、分解時（折り畳み時）には、底面プレート６７及び背面プレート７３に垂直となるように位置し、背面プレート７３が、底面プレート６７の内面と、厚み形成部８１の高さに対応する隙間（一方の側面プレート７１の厚さに他方の側面プレート７１の厚さを加えた寸法とほぼ等しい又は対応している）を有して平行又はほぼ平行となるように構成されている（図１４参照）。なお、隙間形成用ヒンジ７７の厚み形成部８１を２つの厚み形成片８５から構成することにより、隙間形成用ヒンジ７７を、折り畳み用ヒンジ１９や、一枚の隙間形成片３３を有する隙間形成用ヒンジ２１と同じように使用することもできるようになる。
【００２８】
ここでは、固定ネジ６９を取り外してから、あるいは固定ネジ６９で固定する前に、一方の側面プレート７１を折り畳み、折り畳んだ一方の側面プレート７１にかぶせるように他方の側面プレート７１を折り畳んでも、他方の側面プレート７１は底面プレート６７と平行な又はほぼ平行な状態に折り畳まれることとなる。また、折り畳んだ他方の側面プレート７１にかぶせるように背面プレート７３を折り畳んでも、背面プレート７３は底面プレート６７と平行な又はほぼ平行な状態に折り畳まれることとなる。
【００２９】
引き出し５８は、引き出し本体８７と、この引き出し本体８７の前端部に差し込みビス８９により固定された前面プレート９１と、を備え、引き出し本体８７は、底壁プレート（ベース部材、底板）９３と、この底壁プレート９３の両側縁部の端面に固定ネジ（固定手段）６９により固定され、底壁プレート９３と垂直に上方に立ち上がる一対の側壁プレート（垂直部材）９５と、底壁プレート９３の後側縁部の端面及び一対の側壁プレート９５の後側縁部（又は後側縁部の内面）に固定ネジ６９により固定され、底壁プレート９３と垂直に上方に立ち上がる背壁プレート（垂直部材）９６と、を有していて、底壁プレート９３の一方の側縁部と一方の側壁プレート９５の下端部の間の長さ方向両側、底壁プレート９３の他方の側縁部と他方の側壁プレート９５の下端部の間の長さ方向両側及び底壁プレート９３の後側縁部と背壁プレート９６の下端部の間の長さ方向両側にはそれぞれ、展開用ヒンジ９７が設けられている（図１８及び図１９参照）。
【００３０】
展開用ヒンジ９７は、図１６に示すように、引っ張りコイルスプリング（引っ張りスプリング）９９と、この引っ張りコイルスプリング９９の先端部に接続された回転中心部材１０１と、この回転中心部材１０１の先端部に回転できるように取り付けられた回転取り付け部１０３とを有している。回転中心部材１０１は、後端部に引っ掛け孔１０５が設けられたロッド状の連結部１０７と、この連結部１０７の先端に、連結部１０７と直交するように一体的に形成された短いロッド状の回転支持部１０９と、を有してＴ字状に形成されていて、引っ掛け孔１０５に引っ張りコイルスプリング９９の先端側フック１１１を引っ掛けることにより引っ張りコイルスプリング９９に接続されている。回転取り付け部１０３は、円柱体１１３の上面（奥側面）からＵ字状の取り付け溝１１５を形成するとともに、この取り付け溝１１５の底部中央と連通するようにロッド孔１１７を円柱体１１３の底面（開放側面）から形成し、このロッド孔１１７の周方向一個所を側方に（取り付け溝１５と直交するように）開放して側方開口を形成するとともに、この側方開口を上方（奥側）に延ばして揺動路（又はＵ字状の揺動路）１１９を構成したものであり、取り付け溝１１５の底部は回転支持部１０９の径とほぼ等しい径を有し、断面半円を若干超えた円弧状に形成されていて、取り付け溝１１５の上側（奥側）は、底部の上端（奥側端）両側の幅と等しく、回転支持部１０９の径よりも若干小さい幅を有している。このような構成の回転取り付け部１０３は、回転支持部１０９が取り付け溝１１５の底部に相対的に回転可能な状態でかつ抜け止め状態で収容され、連結部１０７がロッド孔１１７から突出するように回転中心部材１０１に取り付けられる。取り付けられた回転取り付け部１０３は、連結部１０７がロッド孔１１７内に位置する状態から、連結部１０７が揺動路１１９の上端部（奥側端部）に当接するまで、９０度揺動して回転できるように構成されている。なお、連結部１０７を設けずに、引っ張りコイルスプリング９９の先端部を回転支持部１０９に直接接続してもよい。
【００３１】
このような展開用ヒンジ９７は、図１７乃至図１９に示すように、引っ張りコイルスプリング９９側が底壁プレート９３の縁部に設けられた挿入取り付け部１２１内に配置されて取り付けられ、回転取り付け部１０３側が一対の側壁プレート９５及び背壁プレート９６の下端部に設けられた嵌め込み取り付け部１２３内に嵌め込まれて取付けられている。挿入取り付け部１２１は、底壁プレート９３の縁部に、底面側からあけられた操作凹部１２５と、この操作凹部１２５から縁部端面に通された挿入トンネル１２７と、から構成されていて、操作凹部１２５内を引っ掛けロッド１２９が通過している。挿入トンネル１２７の径は、引っ張りコイルスプリング９９及び連結部１０７の外径、そして、揺動路１１９の開口の幅とほぼ等しく設定されている（例えば８ｍｍ）。また、嵌め込み取り付け部１２３は、一対の側壁プレート９５及び背壁プレート９６の下端面（前端面）から開けられた、回転取付部１０３の外径とほぼ同一径（例えば１７ｍｍの径）の円形孔であり、一対の側壁プレート９５及び背壁プレート９６の下端部内面（前端部上面）で、揺動路１１９の開口と同じ幅又はほぼ同じ幅で開口している。すなわち、嵌め込み取り付け部１２３は、一対の側壁プレート９５及び背壁プレート９６の下端部内面（前端部上面）側に中心がずれて形成されている。
【００３２】
展開用ヒンジ９７は、引っ張りコイルスプリング９９及び連結部１０７が挿入トンネル１２７内にスライド可能に挿入され、引っ張りコイルスプリング９９の後端側フック１３１が引っ掛けロッド１２９に引っ掛けられ、揺動路１１９の開口と嵌め込み取り付け部１２３の開口とが一致するように、回転取り付け部１０３が上端側（奥側）から嵌め込み取り付け部１２３内にはめ込まれることにより、底壁プレート９３と、一対の側壁プレート９５及び背壁プレート９６とを回転可能に連結している。操作凹部１２５は、例えば、引っ張りコイルスプリング９９の後端側フック１３１を引っ掛けロッド１２９に引っ掛けるために利用される。
【００３３】
ところで、底壁プレート９３と一対の側壁プレート９５及び背壁プレート９６とは、例えば１８ｍｍの同一の板厚を有するように形成されていて、組み立て時及び分解時に段差が生じないようにするために、回転取り付け部１０３の回転中心と一対の側壁プレート９５及び背壁プレート９６の外面（底面）との距離Ｌ１と、挿入トンネル１２７の中心と底壁プレート９３の外面（裏面）との距離Ｌ２と、回転取り付け部１０３の回転中心と一対の側壁プレート９５及び背壁プレート９６の下端面（前端面）との距離Ｌ３とは等しいことが好ましい。そして、Ｌ１の長さは、嵌め込み取り付け部１２３の半径をＤ（例えば８．５ｍｍ）、嵌め込み取り付け部１２３の開口幅の２分の１をＷとして、板厚−√（Ｄ２−Ｗ２）、すなわち（Ｄ２−Ｗ２）の平方根を板厚から減算したときの値又は近似値として設定することができる。そして、求められたＬ１を基礎としてＬ２やＬ３がＬ１と等しくなるように、挿入トンネル１２７や嵌め込み取り付け部１２３を形成する。
【００３４】
一対の側壁プレート９５及び背壁プレート９６が組み立て状態のときは、回転取り付け部１０３は揺動路１１９の上端部が連結部１０７に当接する状態となっている（図１７参照）。回転取り付け部１０３は連結部１０７がロッド孔１１７内に位置するまで９０度回転できるので、固定ビス６９を取り外し、又は固定ビス６９で固定する前に、一対の側壁プレート９５及び背壁プレート９６を外側に広げるように倒し、一対の側壁プレート９５及び背壁プレート９６の下端面が底壁プレート９３の側縁部の端面及び後縁部の端面と突合せ状態となるまで展開しておくことができる（図１８、図１９及び図２０参照）。引っ張りコイルスプリング９９は、組み立て状態のときにも、分解状態（折り畳み状態）のときにも、一対の側壁プレート９５及び背壁プレート９６を底壁プレート９３に押し付けるように機能する。
【００３５】
図２１及び図２２はボックス本体５９の変更例を示す図である。
【００３６】
変更例のボックス本体１３３は、側面プレート７１の高さよりも底面プレート１３５の幅が小さく、かつ、天板１３７の一方側が一方の側面プレート７１にヒンジ連結され、天板１３７の他方側が他方の側面プレート７１に固定手段１５で連結されている点が異なるが、その他の構成はボックス本体５９と同一である。ボックス本体１３３では、底面プレート１３５と他方の側面プレート７１が展開用ヒンジ９７で連結され、一方の側面プレート７１と天板１３７も展開用ヒンジ９７で連結されている。したがって、図２２に示すように、固定手段１５を解除し、固定ネジ６９を外して、あるいは、固定手段１５及び固定ネジ６９で固定する前に、底面プレート１３５と他方の側面プレート７１を一枚状態に伸ばし、一枚状態に伸ばした底面プレート１３５及び他方の側面プレート７１の上に、一枚状態に伸ばした一方の側面プレート７１と天板１３７を平らに折り畳み、一枚状態に伸ばした一方の側面プレート７１と天板１３７の上に背面プレート１３９を平らに折り畳むことが可能となる。なお、図２３に示すように、ボックス本体１３３から背面プレート１３９を省略すれば、図２４に示すように、よりコンパクトな折り畳み状態を達成できる。
【産業上の利用可能性】
【００３７】
本発明の家具等の屋内設置物は、例えば一般家庭で安価に入手するのに適したものとなる。また、例えば、配置替えや引越し時などに便利なものとなる。
【符号の説明】
【００３８】
１                  テーブル（屋内設置物）
５                  テーブルプレート（ベース部材）
９                  脚部（垂直部材）
１９                  折り畳み用ヒンジ
２１、７７            隙間形成用ヒンジ
５７                  ボックス体（屋内設置物）
５８                  引き出し（屋内設置物）
５９                  ボックス本体（屋内設置物）
６７、１３５          底面プレート（ベース部材）
７１                  側面プレート（垂直部材）
７３、１３９          背面プレート（垂直部材）
９３                  底壁プレート（ベース部材）
９５                  側壁プレート（垂直部材）
９６                  背壁プレート（垂直部材）
９７                  展開用ヒンジ
【図１】
2013138748.tif 000003
【図２】
2013138748.tif 000004
【図３】
2013138748.tif 000005
【図４】
2013138748.tif 000006
【図５】
2013138748.tif 000007
【図６】
2013138748.tif 000008
【図７】
2013138748.tif 000009
【図８】
2013138748.tif 000010
【図９】
2013138748.tif 000011
【図１０】
2013138748.tif 000012
【図１１】
2013138748.tif 000013
【図１２】
2013138748.tif 000014
【図１３】
2013138748.tif 000015
【図１４】
2013138748.tif 000016
【図１５】
2013138748.tif 000017
【図１６】
2013138748.tif 000018
【図１７】
2013138748.tif 000019
【図１８】
2013138748.tif 000020
【図１９】
2013138748.tif 000021
【図２０】
2013138748.tif 000022
【図２１】
2013138748.tif 000023
【図２２】
2013138748.tif 000024
【図２３】
2013138748.tif 000025
【図２４】
2013138748.tif 000026